(57)【要約】【課題】配管構造を含むほとんどの部分の構造変更を必要とせず、露光済み感光材料の排出口の高さ位置が異なる複数種の露光装置に連接して用いることができる現像処理装置を提供することを目的としている。【解決手段】露光装置に連接して設けられ、露光装置から装置本体内に送り込まれる露光処理された露光済み感光材料を搬送ローラによって最上流の処理液槽から下流側の処理液槽へ順次浸漬引き上げを繰り返しながら搬送して現像処理する感光材料の現像処理装置において、露光済み感光材料の露光装置から装置本体内への進入経路を装置本体の高さ方向に複数選択可能に備えていることを特徴としている。【選択図】      図２
2005031573.tif 000002
【特許請求の範囲】
【請求項１】
露光装置に連接して設けられ、露光装置から装置本体内に送り込まれる露光処理された露光済み感光材料を搬送ローラによって最上流の処理液槽から下流側の処理液槽へ順次浸漬引き上げを繰り返しながら搬送して現像処理する感光材料の現像処理装置において、
露光済み感光材料の露光装置から装置本体内への進入経路を装置本体の高さ方向に複数選択可能に備えていることを特徴とする現像処理装置。
【請求項２】
少なくとも最も露光装置側に配置される搬送ローラが、選択された進入経路に適合するようにその高さ位置を可変に設けられている請求項１に記載の現像処理装置。
【請求項３】
装置本体上部を覆う上部カバーが、その露光装置側の端部に、他の部分より上方に膨出する膨出部を有し、膨出部の露光装置側端縁と、装置本体との上縁との間に形成される隙間が、装置本体または上部カバーに着脱自在かつ交換自在な蓋部材および露光済み感光材料の進入経路上に現像処理装置内への進入口となる孔を有するアタッチメントのいずれかによって塞がれる請求項１または請求項２に記載の現像処理装置。
【発明の詳細な説明】
【技術分野】
【０００１】
本発明は、露光装置に連接して設けられ、露光装置から装置本体内に送り込まれる露光処理された露光済み感光材料を搬送ローラによって最上流の処理液槽から下流側の処理液槽へ順次浸漬引き上げを繰り返しながら搬送して現像処理する感光材料の現像処理装置に関する。
【背景技術】
【０００２】
写真処理装置の場合、印画紙等の感光材料に露光処理によって画像を焼き付ける露光装置（プリンタ）と、この露光装置で露光処理した露光済み感光材料を現像処理する現像処理装置（プロセサ）とが連接して設けられている（たとえば、特許文献１参照）。
【０００３】
また、従来の写真処理装置の場合、機種変更やシステム変更によって露光装置のみの構造が変更になった場合であっても、露光装置に合わせて現像処理装置の方もすべて作り替えていた。
【特許文献１】特開２００２−２４４２６０号公報
【発明の開示】
【発明が解決しようとする課題】
【０００４】
しかし、現像処理装置は、装置本体内に複数の処理液槽が並設され、各処理液槽に処理液の補給配管や循環配管等が接続されているため、露光装置の構造が変更になり、現像処理装置もそれに合わせて構造変更した場合、配管材料の長さも変更になったりする。すなわち、共用できない部品が多く、製造コスト高になる。
【０００５】
本発明は、上記事情に鑑みて、配管構造を含むほとんどの部分の構造変更を必要とせず、露光済み感光材料の排出口の高さ位置が異なる複数種の露光装置に連接して用いることができる現像処理装置を提供することを目的としている。
【課題を解決するための手段】
【０００６】
上記目的を達成するために、本発明にかかる現像処理装置は、露光装置に連接して設けられ、露光装置から装置本体内に送り込まれる露光処理された露光済み感光材料を搬送ローラによって最上流の処理液槽から下流側の処理液槽へ順次浸漬引き上げを繰り返しながら搬送して現像処理する感光材料の現像処理装置において、露光済み感光材料の露光装置から装置本体内への進入経路を装置本体の高さ方向に複数選択可能に備えていることを特徴としている。
【０００７】
また、本発明においては、少なくとも最も露光装置側に配置される搬送ローラが、選択された進入経路に適合するようにその高さ位置を可変に設けられている構成、装置本体上部を覆う上部カバーが、その露光装置側の端部に、他の部分より上方に膨出する膨出部を有し、膨出部の露光装置側端縁と、装置本体との上縁との間に形成される隙間が、装置本体または上部カバーに着脱自在かつ交換自在な蓋部材および露光済み感光材料の進入経路上に現像処理装置内への進入口となる孔を有するアタッチメントのいずれかによって塞がれるようになっている構成とすることが好ましい。
【発明の効果】
【０００８】
本発明にかかる現像処理装置は、露光済み感光材料の露光装置から装置本体内への進入経路を装置本体の高さ方向に複数選択可能に備えているので、露光装置の露光済み感光材料の排出口の高さが変更になっても、進入経路を変更することによって対応できる。
【０００９】
したがって、露光装置の構造が変更になっても、現像処理装置の装置本体は、配管構造を含むほとんどの部分で変更を要さずに、複数種の露光装置を連接することができる。したがって、写真処理装置の製造コストを低減できる。
【発明を実施するための最良の形態】
【００１０】
以下に、本発明を、その実施の形態をあらわす図面を参照しつつ詳しく説明する。
【００１１】
図１〜図５は、本発明にかかる現像処理装置の第１の実施の形態をあらわしている。
【００１２】
図１および図２に示すように、この現像処理装置Ａは、装置本体１ａと、上部カバー２とを備え、図１に示すように、露光済み感光材料の排出口９１が装置本体１ａの上縁より高い位置にある露光装置９ａや、図２に示すように、露光済み感光材料の排出口９２が装置本体１ａの側面に設けられた開口１１と略同じ高さにある露光装置９ｂのいずれにも連接させられるようになっている。
【００１３】
装置本体１ａは、図１および図２に示すように、内部に複数の処理液槽１２が並設されているとともに、図３に示すように、露光装置９ａ（９ｂ）側の壁面に、露光装置９ｂから送り出される露光済み感光材料の進入口となる矩形の開口１１を備えている。
【００１４】
この開口１１は、図４に示すように、進入口として不使用時には、着脱自在な盲板１３によって封鎖できるようになっている。
【００１５】
装置本体１ａ内には、図１および図２に示すように、着脱自在な挿入ラック３ａ（３ｂ）、上部ラック４、液中ラック５が設けられている。
【００１６】
液中ラック５は、各処理液槽１２にそれぞれ浸漬されていて、各処理液槽１２の入口側に搬送されてきた感光材料を搬送ローラ５１の間で挟みながら一旦処理液槽１２に浸漬し底側まで搬送したのち、反転させて上方へ引き上げるようになっている。
【００１７】
挿入ラック３ａ（３ｂ）は、その後端側が最上流の処理液槽１２に浸漬された液中ラック５の入口側の上部を被さるように装置本体１ａ内にセットされ、露光装置９ａ（９ｂ）から送られてきた露光済み感光材料を搬送ローラ３１の間で挟みながら最上流の処理液槽１２に浸漬された液中ラック５に搬送するようになっている。
【００１８】
上部ラック４は、隣接する処理液槽１２の液中ラック５間に跨がるように設けられ、上流の処理液槽１２から送られてきた感光材料を搬送ローラ４１との間で挟みながらつぎの処理液槽１２に搬送するようになっている。
【００１９】
上部カバー２は、露光装置９ａ（９ｂ）側の端部が装置本体１ａの上端縁より上方に膨出した膨出部２１となっていて、上部カバー２を閉じた状態で、この膨出部２１と装置本体１ａとの隙間が、図３に示す蓋部材６あるいは図４および図５に示すアタッチメント７のいずれかによって塞がれるようになっている。
【００２０】
すなわち、蓋部材６およびアタッチメント７は、装置本体１ａの上縁部に着脱自在になっていて、アタッチメント７が、露光装置９ａの露光済み感光材料の排出口９１と、挿入ラック３ａの露光装置９ａ側の搬送ローラ３１とを結ぶ進入経路上に感光材料が通過可能なスリット状の孔７１を備えている。
【００２１】
この現像処理装置Ａは、以上のようになっており、装置本体１ａに図４および図5に示すように、アタッチメント７を取り付け、開口１１を盲板１３によって閉じた状態にするとともに、露光装置９ａ側の搬送ローラ３１が、処理液槽１２側の搬送ローラ３２より高い位置にある挿入ラック３ａを装着するようにすれば、露光済み感光材料の排出口９１が、装置本体１ａの上縁より高い位置にある露光装置９ａに連接させることができる。
【００２２】
また、図３に示すように、開口１１を開口させた状態で装置本体１ａに蓋部材６を取り付けておくとともに、露光装置９ｂ側の搬送ローラ３１および処理液槽１２側の搬送ローラ３２が、略水平にかつ開口１１を臨む位置にある挿入ラック３ｂをセットすれば、露光済み感光材料の排出口９２を開口１１を臨む位置に備えた露光装置９ｂを連接させることができる。
【００２３】
すなわち、この現像処理装置Ａは、以上のように、蓋部材６とアタッチメント７およびや挿入ラック３ａ（３ｂ）を交換することによって、露光済み感光材料の装置本体１ａ内への進入経路を装置本体１ａの高さ方向に複数選択できる。
【００２４】
したがって、露光装置９ａ（９ｂ）の構造が変更になっても、処理液槽１２の配管等を含む大部分の構造を変更することなく，装置本体１ａの大部分を共用することができ、写真処理装置全体の製造コストを低減できる。
【００２５】
また、装置本体１ａの上縁の高さが変わらないので、装置本体１ａ内の良好なメンテナンス作業性も確保することができる。
【００２６】
図６および図７は、本発明にかかる現像処理装置の第２の実施の形態をあらわしている。
【００２７】
図６および図７に示すように、この現像処理装置Ｂは、装置本体１ｂの露光装置側の壁面から装置本体１ｂ内部に向かって、露光装置側に向かって広がる断面台形をした筒部１４が設けられ、筒部１４の奥に開口１５を備え、装置本体１ａ内の開口１５を臨む位置に挿入ラックに代えて、入口搬送ローラユニット８ａが設けられている。
【００２８】
入口搬送ローラユニット８ａは、ユニット本体８１と、搬送ローラ８２とを備えている。
【００２９】
ユニット本体８１は、シャッター板８１ａと、ローラ支持アーム８１ｂとを備えている。
【００３０】
シャッター板８１ａは、断面円弧状をしていて、その中央に感光材料の進入経路となる孔８１ｄを備えている。
【００３１】
ローラ支持アーム８１ｂは、シャッター板８１ａの両側から円弧の中心方向に延出していて、２つの搬送ローラ８２がその周面を略当接させた状態でその当接部を孔８１ｄに臨ませるように２つのローラ支持アーム８１ｂ間に回転自在に支持されている。
【００３２】
また、両ローラ支持アーム８１ｂは、そのシャッター板８１ａの円弧の中心線上に外側に向かって突設されている軸ピン８１ｅを備えている。
【００３３】
そして、入口搬送ローラユニット８ａは、図示していないが、軸ピン８１ｅを装置本体１ｂ内に設けられた軸受けに枢支させることによってシャッター板８１ａが開口１５の周縁に当接した状態で装置本体１ｂの上下方向に回動自在に支持される。すなわち、開口１５が常にシャッター板８１ａ孔８１ｄの部分を残して閉じられた状態で、搬送ローラ８２の高さ位置を変えることができるようになっている。
【００３４】
すなわち、この現像処理装置Ｂによれば、入口搬送ローラユニット８ａが回動自在になっているので、入口搬送ローラユニット８ａを回動させれば、感光材料の進入経路を自由に選択できる。したがって、挿入ラック３ｃを交換しなくても、また、アタッチメントを交換しなくても、勿論、装置本体１ｂの構造を大きく変更することなく、露光済み感光材料の排出口の高さの異なる露光装置に連接させて用いることができる。
【００３５】
図８は、本発明にかかる現像処理装置の第３の実施の形態をあらわしている。
【００３６】
図８に示すように、この現像処理装置Ｃは、入口搬送ローラユニット８ｂが、シャッター板８５と、支持アーム８６と、搬送ローラ８７と、搬送ローラ支持部８８とを備えている。
【００３７】
すなわち、シャッター板８５は、その中央部に矩形をした孔８５ａを備え、矩形をした筒状の搬送ローラ支持部８８がこの孔８５ａを臨むようにシャッター板８５の一方の面に立設されている。
【００３８】
搬送ローラ支持部８８は、その内部に２本の搬送ローラ８７がその周面を略当接させた状態で回転自在に支持されている。
【００３９】
支持アーム８６は、シャッター板８５の長手方向の両端から搬送ローラ支持部８８と同じ方向に延出している。
【００４０】
そして、この入口搬送ローラユニット８ｂは、円弧状のガイド孔１６ａを有し、装置本体１ｃ内で対面するように垂設された支持フレーム１６間に配置され、ボルト１７によって固定されるようになっている。
【００４１】
すなわち、入口搬送ローラユニット８ｂの支持アーム８６には、ボルト１７が螺合するねじ孔（図にあらわれていない）が２つずつ設けられていて、２本のボルト１７を支持アーム８６側からガイド孔８５ａを介して前記ねじ孔にねじ込み、ボルト１７の頭部と支持アーム８６との間で支持フレーム１６を挟着することによって、入口搬送ローラユニット１ｃが支持フレーム１６に固定され、ボルト１７を少し緩めれば、入口搬送ローラユニット１ｃがガイド溝１６ａに沿って上下方向に移動可能になっている。
【００４２】
また、その他の構成は、上記現像処理装置Ｂと同様の構造をしている。
【００４３】
したがって、上記現像処理装置Ｂと同様入口搬送ローラユニット８ｂ感光材料の進入経路に合わせて上下方向に移動させれば、勿論、装置本体の構造を大きく変更することなく、露光済み感光材料の排出口の高さの異なる露光装置に連接させて用いることができる。挿入ラックを交換しなくても、また、アタッチメントを交換しなくても、露光済み感光材料の排出口の高さが異なるの露光装置に連接させて用いることができる。
【００４４】
本発明にかかる現像処理装置は、上記の実施の形態に限定されない。たとえば、上記の現像処理装置Ａでは、感光材料が開口１１を介して装置本体１ａ内に進入する場合でも、アタッチメント７のスリット部分から装置本体１ａ内に進入する場合も、膨出部を備えた上部カバーが用いられていたが、アタッチメントを使用する場合のみ、従来のフラットな上部カバーから膨出部を備えた上部カバーに交換するような構造としても構わない。
【図面の簡単な説明】
【００４５】
【図１】本発明にかかる現像処理装置の第１の実施の形態であって、その使用状態の１例をあらわす断面図である。
【図２】図１の現像処理装置の使用状態の他例をあらわす断面図である。
【図３】図２の使用状態の装置本体を露光装置側からみた正面図である。
【図４】図１の装置本体を露光装置側からみた正面図である。
【図５】図１の使用状態時のアタッチメントの取り付け方法を説明する斜視図であって、同図（ａ）は取り付け状態、同図（ｂ）は取り外し状態をあらわしている。
【図６】本発明にかかる現像処理装置の第２の実施の形態であって、その装置本体の感光材料進入口部分の要部拡大図である。
【図７】図６の現像処理装置の入口搬送ローラユニットの斜視図である。
【図８】本発明にかかる現像処理装置の第２の実施の形態であって、その入口搬送ローラユニットの斜視図である。
【符号の説明】
【００４６】
Ａ，Ｂ，Ｃ  現像処理装置
１ａ，１ｂ，１ｃ  装置本体
１２  処理液槽
２  上部カバー
２１  膨出部
６  蓋部材
７  アタッチメント
７１  孔
９ａ，９ｂ  露光装置
３１，４１，５１，８７  搬送ローラ
【図１】
2005031573.tif 000003
【図２】
2005031573.tif 000004
【図３】
2005031573.tif 000005
【図４】
2005031573.tif 000006
【図５】
2005031573.tif 000007
【図６】
2005031573.tif 000008
【図７】
2005031573.tif 000009
【図８】
2005031573.tif 000010